(57)【特許請求の範囲】
【請求項１】
遺体の咽喉部に体液漏出防止剤を送り込んで咽喉部から体液が漏出することを防止するための遺体用体液漏出防止装置（１０）において、
鼻孔又は口から咽喉部に挿入される合成樹脂製の可撓性カテーテル（１１）と、
上記可撓性カテーテル（１１）の内部に、該可撓性カテーテル（１１）の咽喉部への挿入方向基端部から先端側へ向けて挿入され、該可撓性カテーテル（１１）内を相対的に長手方向に移動可能な長尺状の可撓性当て部材（１４）とを備え、
上記可撓性カテーテル（１１）の内部における咽喉部への挿入方向先端側の部位には、高吸水性ポリマー粉体からなる体液漏出防止剤を有する擬似固形体（２０）が該カテーテル（１１）の内面を摺動可能に内挿され、
上記可撓性当て部材（１４）の先端部は、上記擬似固形体（２０）の挿入方向基端部に当接又は接近するように配置され、該可撓性当て部材（１４）の基端部が上記可撓性カテーテル（１１）の基端部から飛び出て配設され、該可撓性当て部材（１４）は、該先端部を上記疑似固形体（２０）に当てて上記可撓性カテーテル（１１）の先端部から該擬似固形体（２０）を押し出して咽喉部に落とし込むように構成され、
上記擬似固形体（２０）及び上記可撓性当て部材（１４）を内挿した上記可撓性カテーテル（１１）が、該先端部が遺体の鼻孔又は口から咽喉部に達するまで挿入されて、該可撓性カテーテル（１１）内の該擬似固形体（２０）が咽喉部において該可撓性カテーテル（１１）の先端部から押し出されて、該擬似固形体（２０）中の該高吸水性ポリマー粉体が咽喉部内の体液を吸収して膨張することを特徴とする遺体用体液漏出防止装置（１０）。
【請求項２】
請求項１に記載の遺体用体液漏出防止装置（１０）において、
上記可撓性カテーテル（１１）の中間部に、先端部が咽喉部に達する長さに対応する部分を示すマーク（１３）が設けられていることを特徴とする遺体用体液漏出防止装置（１０）。
【請求項３】
請求項１又は２に記載の遺体用体液漏出防止装置（１０）において、
上記可撓性カテーテル（１１）の先端部が咽喉部に達した状態で該可撓性カテーテル（１１）と上記可撓性当て部材（１４）との相対移動によって、該可撓性当て部材（１４）の先端部が該可撓性カテーテル（１１）の該先端部より飛び出る位置を示す印部が、該可撓性当て部材（１４）に設けられていることを特徴とする遺体用体液漏出防止装置（１０）。
【請求項４】
請求項１ないし３のいずれか１つに記載の遺体用体液漏出防止装置（１０）において、
上記擬似固形体（２０）は、高吸水性ポリマーからなる粉体を錠剤状に押し固めたものからなることを特徴とする遺体用体液漏出防止装置（１０）。
【請求項５】
請求項１ないし３のいずれか１つに記載の遺体用体液漏出防止装置（１０）において、
上記擬似固形体（２０）は、高吸水性ポリマーからなる粉体を接着剤で接着して擬似固形状に形成してなることを特徴とする遺体用体液漏出防止装置（１０）。
【請求項６】
請求項１ないし３のいずれか１つに記載の遺体用体液漏出防止装置（１０）において、
上記擬似固形体（２０）は、高吸水性ポリマーからなる粉体を内部に収納した水溶性カプセル及びメッシュ状カプセルの少なくとも１種からなることを特徴とする遺体用体液漏出防止装置（１０）。
【請求項７】
請求項１ないし６のいずれか１つに記載の遺体用体液漏出防止装置（１０）において、
上記擬似固形体（２０）は、複数個が連続して上記可撓性カテーテル（１１）内に内挿されていることを特徴とする請求項１ないし７のいずれかに記載の遺体用体液漏出防止装置（１０）。
【請求項８】
請求項１ないし７のいずれか１つに記載の遺体用体液漏出防止装置（１０）において、
上記可撓性カテーテル（１１）の外径が３ｍｍ〜８ｍｍ、内径が外径より０．２ｍｍ〜１．０ｍｍ以下の径からなり、上記可撓性当て部材（１４）の外径は、該可撓性カテーテル（１１）の内径より０．１ｍｍ以上小径であることを特徴とする遺体用体液漏出防止装置（１０）。
【請求項９】
請求項１ないし８のいずれか１つに記載の遺体用体液漏出防止装置（１０）において、
上記可撓性当て部材の外径が上記可撓性カテーテル（１１）の内径の半分以下であることを特徴とする遺体用体液漏出防止装置（１０）。
【請求項１０】
請求項１ないし９のいずれか１つに記載の遺体用体液漏出防止装置（１０）において、
上記可撓性当て部材（１４）は合成樹脂材からなり、可撓性当て部材（１４）の可撓性は上記可撓性カテーテル（１１）の可撓性よりも低く形成されていることを特徴とする遺体用体液漏出防止装置（１０）。
【請求項１１】
請求項１ないし１０のいずれか１つに記載の遺体用体液漏出防止装置（１０）において、
上記可撓性カテーテル（１１）の該マークが、該該可撓性カテーテル（１１）の挿入量を停止するストッパ（１１３）を有することを特徴とする遺体用体液漏出防止装置（１０）。
【請求項１２】
請求項１ないし１１のいずれか１つに記載の遺体用体液漏出防止装置（１０）において、
上記上記擬似固形体（２０）に殺菌剤、防カビ剤、防腐剤、消臭剤及び香料の少なくとも１種が含まれることを特徴とする遺体用体液漏出防止装置（１０）。
【発明の詳細な説明】
【技術分野】
【０００１】
本発明は、遺体からの体液漏出を防止するために、遺体の体腔に装填される遺体用体液漏出防止装置に関するものである。
【背景技術】
【０００２】
人体は、死亡後に胃液、肺液、腹水、排泄物などの体液を漏出させることがある。このため、例えば病院では、死亡確認後、遺体の口、鼻、耳、肛門、女性の膣等の体腔にガーゼ、脱脂綿等を装填し、体液の漏出を防ぐことが行なわれている。また、事故や手術後の遺体の開口部にも同様な処置がとられている。
【０００３】
一般的に行なわれている遺体の口、鼻、耳等の体腔にガーゼ、脱脂綿等を装填する方法では、漏出体液が多い場合には、ガーゼ、脱脂綿等では不十分であって、体外に漏れ出たりしている。漏出した体液の処理時に病原菌に感染する恐れがあり、作業者からは嫌われている。また新しいガーゼ、脱脂綿等と交換する必要があり、煩わしいだけでなく、遺体体液を介して病原菌が感染する危険性があり、交換時にはその周辺に漏出体液の悪臭が残るなどの問題がある。
【０００４】
このために、ガーゼ、脱脂綿等に代えて高吸水性の樹脂粉末を口、鼻、耳、咽喉などに装填するものとして、注射器を使って口、鼻、耳に高吸水性樹脂粉末を装填することが知られている（例えば特許文献１）。
【０００５】
また、粉体でなく、ゼリーを用いるものとして、消臭剤入りの粉末ポリマーを適当量の水で溶かし適当に混合してゼリーＡにし、遺体の鼻腔の奥、口腔の奥、耳穴の奥に注入器等で圧入し充満させ、ゼリーＡで止血し、その外側に更に衛生綿で栓Ｂをするものが知られている（例えば特許文献２）。
【特許文献１】特開平１０−２９８００１号公報
【特許文献２】特開平０８−１３３９０１号公報
【発明の開示】
【発明が解決しようとする課題】
【０００６】
特許文献１では、出来るだけ流動性を確保するために、高吸収ポリマーの微粉末を使用することを述べている。しかし、鼻孔や耳孔の入口部分に入れるのであれば、この公報のように微粉末を注射器のようなシリンダで投入しても充填できるが、奥までは充填できない。特に、奥まで充填するために、急速にシリンダを動かすと、先端から出る微粉末が飛び散るだけで、かえって遺体周辺を汚すだけである。
【０００７】
即ち特許文献１のように粉末をそのまま遺体に充填する方法では、粉末を押圧しても粉末自体の密度が上がるだけで、充填器内をスムーズに流れないので、シリンダを使用しても充填することが困難である。また、飛び出る粉末が拡散するので、粉末を固めて栓をしたい所に粉末を留めることが困難であり、場合によっては、遺体外に出て遺体周辺を汚す恐れがある。さらに、粉末をそのまま遺体に装填する場合には、体液の少ない遺体に対しては微粉末がこぼれ出る又はゲルが溶けて漏れ出る可能性がある。
【０００８】
また特許文献２のものでは、ゼリーに消臭剤を混合して異臭を防止するようにし、ゼリー自体で栓をすることを狙いとしている。その上、ゼリーだけでは封止が十分でないので、衛生綿等で更に封止するようにしている。この特許文献２のように、粉末ポリマーを水に溶かしてゼリー状にすれば、流動性が良くなるので、鼻孔等の奥にも注入しやすく、注入器を使って注入しても、粉体のように飛散することも無く、注入管を伝って滑らかに注入できる。しかし、既に水に溶かしているために、本来ポリマーが有する吸水性能はほとんどなくなっている。したがって、ゼリーは鼻孔の隙間を埋める栓としての機能でしか使われなく、鼻孔を十分に封止することができない。
【０００９】
上述したように、上記特許文献１や特許文献２に示されるものでは、注入器や注射器を使っているため、粉体等の体液漏出剤を鼻奥まで即ち咽喉部まで注入することができず、体液の漏出を十分に防止できない。
本発明は、注入器や注射器を使わずに、咽喉部からの体液漏出を確実に防止できる遺体用体液漏出防止装置を提供することを目的とする。
【課題を解決するための手段】
【００１０】
本発明は、注入器や注射器を使わずに咽喉部等に体液漏出防止材を送り込むことついて、いろいろな方法について実験研究を重ねた。その結果、高吸水性ポリマーを有する体液吸収材を錠剤、カプセル、繊維体、ブロック体などからなる擬似固形体に形成しておき、この擬似固形体を可撓性カテーテル中に一旦装填させておき、この擬似固形体が装填されたままで可撓性カテーテルを咽喉部まで挿入する。その後、この可撓性カテーテルに内挿した可撓性当て部材で直接この擬似固形体を可撓性カテーテルの先端から咽喉部内に押し出して、咽喉部に擬似固形体を送り込むこととした。
【００１１】
具体的には、請求項１記載の発明は、遺体の咽喉部に体液漏出防止剤を送り込んで咽喉部から体液が漏出することを防止するための遺体用体液漏出防止装置において、
鼻孔又は口から咽喉部に挿入される合成樹脂製の可撓性カテーテルと、
上記可撓性カテーテルの内部に、該可撓性カテーテルの咽喉部への挿入方向基端部から先端側へ向けて挿入され、該可撓性カテーテル内を相対的に長手方向に移動可能な長尺状の可撓性当て部材とを備え、
上記可撓性カテーテルの内部における咽喉部への挿入方向先端側の部位には、高吸水性ポリマー粉体からなる体液漏出防止剤を有する擬似固形体が該カテーテルの内面を摺動可能に内挿され、
上記可撓性当て部材の先端部は、上記擬似固形体の挿入方向基端部に当接又は接近するように配置され、該可撓性当て部材の基端部が上記可撓性カテーテルの基端部から飛び出て配設され、該可撓性当て部材は、該先端部を上記疑似固形体に当てて上記可撓性カテーテルの先端部から該擬似固形体を押し出して咽喉部に落とし込むように構成され、
上記擬似固形体及び上記可撓性当て部材を内挿した上記可撓性カテーテルが、該先端部が遺体の鼻孔又は口から咽喉部に達するまで挿入されて、該可撓性カテーテル内の該擬似固形体が咽喉部において該可撓性カテーテルの先端部から押し出されて、該擬似固形体中の該高吸水性ポリマー粉体が咽喉部内の体液を吸収して膨張することを特徴とする。
【００１２】
請求項２の発明は、請求項１に記載の遺体用体液漏出防止装置において、上記可撓性カテーテルの中間部に、該先端部が咽喉部に達する長さに対応する部分を示すマークが設けられていることを特徴とする。
【００１３】
請求項３の発明は、請求項１又は２に記載の遺体用体液漏出防止装置において、上記可撓性カテーテルの先端部が咽喉部に達した状態で該可撓性カテーテルと上記可撓性当て部材との相対移動によって、該可撓性当て部材の先端部が該可撓性カテーテルの該先端部より飛び出る位置を示す印部が、該可撓性当て部材に設けられていることを特徴とする。
【００１４】
請求項４の発明は、請求項１ないし３のいずれか１つに記載の遺体用体液漏出防止装置において、上記擬似固形体は、高吸水性ポリマーからなる粉体を錠剤状に押し固めたものからなることを特徴とする。
【００１５】
請求項５の発明は、請求項１ないし３のいずれか１つに記載の遺体用体液漏出防止装置において、上記擬似固形体は、高吸水性ポリマーからなる粉体を接着剤で接着して擬似固形状に形成してなることを特徴とする。
【００１６】
請求項６の発明は、請求項１ないし３のいずれか１つに記載の遺体用体液漏出防止装置において、上記擬似固形体は、高吸水性ポリマーからなる粉体を内部に収納した水溶性カプセル及びメッシュ状カプセルの少なくとも１種からなることを特徴とする。
【００１７】
請求項７の発明は、請求項１ないし６のいずれか１つに記載の遺体用体液漏出防止装置において、上記擬似固形体は、複数個が連続して上記可撓性カテーテル内に内挿されていることを特徴とする。
【００１８】
請求項８の発明は、請求項１ないし７のいずれか１つに記載の遺体用体液漏出防止装置において、上記可撓性カテーテルの外径が３ｍｍ〜８ｍｍ、内径が外径より０．２ｍｍ〜１．０ｍｍ以下の径からなり、上記可撓性当て部材の外径は、該可撓性カテーテルの内径より０．１ｍｍ以上小径であることを特徴とする。
【００１９】
請求項９の発明は、請求項１ないし８のいずれか１つに記載の遺体用体液漏出防止装置において、該可撓性当て部材の外径が該可撓性カテーテルの内径の半分以下であることを特徴とする。
【００２０】
請求項１０の発明は、請求項１ないし９のいずれか１つに記載の遺体用体液漏出防止装置において、該可撓性当て部材は合成樹脂材からなり、該可撓性当て部材の可撓性は該可撓性カテーテルの可撓性よりも低く形成されていることを特徴とする。
【００２１】
請求項１１の発明は、請求項１ないし１０のいずれか１つに記載の遺体用体液漏出防止装置において、該可撓性当て部材の印部が、該可撓性当て部材及び該可撓性当て部材の所定量以上の相対移動を制止するストッパを有することを特徴とする。
【００２２】
請求項１２の発明は、請求項１ないし１１のいずれか１つに記載の遺体用体液漏出防止装置において、該上記擬似固形体に殺菌剤、防カビ剤、防腐剤、消臭剤及び香料の少なくとも１種が含まれることを特徴とする。
【発明の効果】
【００２３】
請求項１の発明によれば、高吸水性ポリマーを有する擬似固形体を可撓性カテールに装填した状態で、鼻孔又は口先から咽喉部に挿入するので、確実に擬似固形体を咽喉部まで運ぶことができる。その上で、擬似固形体の後端部に可撓性当て部材を押し当てた状態で、可撓性カテーテルを引き抜くか、可撓性当て部材を押し込むことによって、可撓性カテーテル内から擬似固形体を飛び出させるので、確実に咽喉部にて擬似固形体を露出した状態にすることができ、高吸水性ポリマーで体液を効果的に吸収でき、体液の漏出を防止できる。
【００２４】
また、可撓性カテーテルと可撓性当て部材とを一緒に咽喉部まで挿入してから、可撓性カテーテルと可撓性当て部材とを相対的に移動させるだけでよいので、操作性に優れ、ベテラン看護士や不慣れな看護士であっても、確実に作業できる。
【００２５】
また、シリンジなどの注入器を使わないので、可撓性カテーテルとシリンジを接続するなどの作業が不要であり、操作性に優れ、その上コンパクト化・低コスト化を図れる。
【００２６】
請求項２の発明によれば、可撓性カテーテルが咽喉部に達した状態を誰でも簡単に把握できるので、看護士等の操作者の作業不安を軽減できる。また、可撓性カテーテルの挿入位置のバラツキが少なく、間違いなく擬似固形体を咽喉部に持ち込むことができる。
【００２７】
請求項３の発明によれば、可撓性カテーテルから擬似固形体を露出した状態を誰でも簡単に把握できるので、看護士等の操作者の作業不安を軽減できる。また、位置のバラツキが少なく、間違いなく擬似固形体を咽喉部に位置させることができる。
【００２８】
請求項４の発明によれば、高吸水性ポリマーをコンパクトにでき、挿入し易い。
【００２９】
請求項５、６の発明によれば、高吸水性ポリマーの形状維持性に優れ、可撓性当て部材で相対的に擬似固形体を押し込む際に形状崩壊することなく、相対的にスムーズに押し込める。
【００３０】
請求項７の発明によれば、擬似固形体が複数個になって装填されているので、相互に位置ズレや変形でき、可撓性カテーテルが折れ曲がりながら鼻孔から咽喉部に挿入される際に可撓性カテーテルの折れ曲がりを阻害することなく、スムーズに可撓性カテーテルを挿入できる。また、咽喉部に出された際にも咽喉部の空間に分散しやすい。
【００３１】
必要であれば、擬似固形体の数量を、遺体の大きさや体液量見込みによって増減することも簡単にできる。
【００３２】
請求項８の発明によれば、可撓性カテーテルを鼻孔から咽喉部にスムーズに挿入できると共に、可撓性カテーテルと可撓性当て部材との相対移動も滑らかに行うことができる。
【００３３】
請求項９の発明によれば、可撓性カテーテルと可撓性当て部材との相対移動を軽い力で滑らかに行うことができる。
【００３４】
請求項１０の発明によれば、可撓性当て部材も鼻孔の形状に滑らかに追従できるので、スムーズに可撓性カテーテルと一緒に咽喉部まで挿入できると共に、可撓性カテーテルと可撓性当て部材との相対移動も速やかに且つ確実に行うことができる。
【００３５】
請求項１１の発明によれば、ストッパを有するので、可撓性カテーテルの挿入位置のバラツキが少なく、確実に咽喉部まで可撓性カテーテルを挿入でき、作業不安を軽減できる。また、擬似固形体が確実に可撓性カテーテルから露出できるので、体液吸収性に優れる。
【００３６】
請求項１２の発明によれば、異臭を吸収できること、又は作業中に作業者が病原菌に感染することを防止できる。
【発明を実施するための最良の形態】
【００３７】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３８】
（実施形態１）
図１及び図２により本発明の実施形態１を説明する。実施形態１の体液漏出防止装置１０の可撓性カテーテル１１は、鼻孔Ａから咽喉部Ｂに挿入されるものであり、外径：５ｍｍ、内径：４．７ｍｍからなる長尺の可撓性の合成樹脂製中空チューブである。可撓性当て部材１４は、外径：４．５ｍｍ、内径：４ｍｍからなる長尺の可撓性の合成樹脂製中空チューブである。可撓性当て部材１４は、可撓性カテーテル１１の中に挿入され、可撓性カテーテル１１に対して相対的に移動可能となっている。即ち、可撓性カテーテル１１の動きを止めておいて、可撓性当て部材１４が可撓性カテーテル１１内をスライドするように長さ方向に移動できる、または、可撓性当て部材１４の動きを止めておいて、可撓性カテーテル１１が可撓性当て部材１４の外側でスライドするように長さ方向に移動できるようになっている。可撓性カテーテル１１及び可撓性当て部材１４を中空チューブにすることによって、可撓性カテーテル１１及び可撓性当て部材１４が共に折れ曲がり易いので、鼻孔から咽喉部に挿入する時に途中で内壁にひっかることなくスムーズに挿入でき、操作性に優れる。
【００３９】
なお、可撓性カテーテル１１を鼻孔から咽喉部に挿入するものでは、可撓性カテーテル１１の外径は３ｍｍ〜８ｍｍ、内径は外径より０．２ｍｍ〜１．０ｍｍ以下の径からなるものが好ましい。可撓性当て部材１４がこの可撓性カテーテル１１内を滑らかに移動する為には、可撓性当て部材１４の外径は、可撓性カテーテル１１の内径より０．１ｍｍ以上小径、特に可撓性カテーテル１１内径の半分以下の外径とすることが好ましい。
【００４０】
可撓性当て部材１４の外径が可撓性カテーテル１１の内径の半分以下とする場合には、可撓性当て部材１４が可撓性カテーテル１１の可撓性よりも低く形成されるようにすると、擬似固形体を相対的にスムーズに押し出す上で有利である。
【００４１】
可撓性カテーテル１１の内部１１ｃには、先端近くに、複数の擬似固形体２０が装填されている。この擬似固形体２０は、図２に示すように、高吸水性ポリマー粉体２１を圧縮して直径が略４．５ｍｍの円柱状に形成した錠剤タイプのものである。
【００４２】
なお、実施形態１の錠剤タイプは擬似固形体の１例であって、本発明に含まれる擬似固形体は、これに限られるものではない。本発明の擬似固形体としては、可撓性カテーテルから出されるまでは、多数の高吸水性ポリマーを含有する団塊状態、即ち固形体として存在し、可撓性カテーテルから出された後は、速やかにできるだけ個々の高吸水性ポリマーに分散するものであり、これらのものを総称して擬似固形体と呼ぶこととした。例えば、擬似固形体の例としては、実施形態１の錠剤タイプのような錠剤タイプ、内部に高吸水性ポリマーを有する水溶性、透水性又はメッシュ状のカプセル（又は袋体）・繊維体等である。
【００４３】
可撓性カテーテル１１の先端部１１ａは先細形状に形成され、この先細部分には複数のスリット１２が長さ方向に形成されている。この構造によって、可撓性カテーテル１１を鼻孔Ａから咽喉部Ｂに挿入する際に、鼻孔Ａの内壁に沿って、滑らかに挿入できるようになっている。また、可撓性カテーテル１１内の擬似固形体２０を相対的に押し出す際には、先細になった先細部分が外側に弾性変形して広がることによって、先細部分からスムーズに軽い力で飛び出すことをできるようになっている。
【００４４】
可撓性カテーテル１１の先端部１１ａには、合成樹脂製のキャップ１６を外側から外嵌しておき、使用前に擬似固形体２０の高吸水性ポリマー２１が吸湿して使用できなくなることを防止するようになっている。なお、合成樹脂製のキャップ１６の代わりに又は追加してフイルムを可撓性カテーテル１１の先端部１１ａに貼り付けたものでも良い。キャップ１６を外嵌するのではなく、可撓性カテーテル１１の先端部１１ａ内に内嵌しても良い。
【００４５】
実施形態１では、可撓性当て部材１４は長尺の可撓性の合成樹脂製中空チューブとなっているが、擬似固形体２０の後端部２０ａが型崩れして可撓性当て部材１４の内部に入り込む可能性がある場合には、擬似固形体２０の後端部２０ａに当接する可撓性当て部材１４の先端部１４ａに、変形可能な薄膜やネット等の侵入防止部材を設けても良い。
【００４６】
なお、擬似固形体２０は高吸水性ポリマー粉体２１を圧縮して円柱状に形成したものであるが、形状維持性を向上するために、錠剤状の擬似固形体２０を水溶性のシートやネットで包んだものとしても良い。また、接着剤等を混合して形状維持性を向上して円柱状に成形しても良い。なお、形状維持性が高くすることによって、高吸水性ポリマー粉体の型崩れが遅くなり、吸水性速度の低下が気になる場合には、例えば、入浴剤などに使われているような水分を吸収して泡立つような発泡剤を混入しておき吸水すると高吸水性ポリマー粉体２１が分散するようにしても良い。
【００４７】
本発明で使用する高吸水性ポリマー２１としては、ポリビニールアルコール、ポリビニールアクリレート、アルギン酸塩、ポリアクリル酸塩、デンプン・アクリル酸グラフト共重合体架橋物、ビニールアルコールとアクリル酸の共重合物、ポリエチレングリコール系ポリマー、ポリアクリルアミド系樹脂、ポリアクリル酸とマレイン酸の共重合物、ポリアルキレンオキサイド系の熱可燃性を有するノニオン型樹脂の少なくとも１種からなることが好ましい。
【００４８】
本発明の高吸水性ポリマー２１の粒子は微粒子過ぎると吸水性能が低下し、粒子が大きすぎると体積に対する表面積が少なく体液吸収能力が劣ることとなるので、平均粒度は８０〜９００μｍとするのが好ましく、特に１００〜４００μｍが好ましい。
【００４９】
形状維持性を向上する上で、高吸水性ポリマーと増粘剤を混合しても良い。この増粘剤としては、カルボキシビニールポリマー、カルボキシビニールポリマー／アルカリ液、親油性スメクタイト、ベントナイト、合成ヘクトナイト、天然ヘクトナイト等が上げられる。増粘剤の重量％は、制限されるわけではないが、０〜１．０重量％である。
【００５０】
実施形態１の遺体用体液漏出防止装置１０の使用例を、図１２に基づいて説明する。図１２において、Aは鼻孔、Bは咽喉部、Cは口で、Dは気管、Eは食道、Fは頚椎、Gは咽喉部の空間を示す。
【００５１】
使用時には、可撓性カテーテル１１の先端近傍に擬似固形体２０を複数個装填する。複数個の擬似固形体２０は互いに接触していても、変形を許容する程度に少し隙間を有して装填されていても良い。そして、可撓性当て部材１４の先端部１４が擬似固形体２０の後端部２０aに接近する位置まで、或は当接する位置まで可撓性当て部材１４を可撓性カテーテル１１内に挿入して、可撓性カテーテル１１、擬似固形体２０及び可撓性当て部材１４を一緒にして用意する。
【００５２】
鼻孔Aから咽喉部Bに挿入する際の曲がりや変形を考えると、擬似固形体２０の変形や潰れを許容するように、擬似固形体２０同士が少し隙間を有し、可撓性当て部材１４の先端部１４とも少し隙間を有することが好ましい。
【００５３】
鼻孔Aから咽喉部Bに挿入する際には、可撓性カテーテル１１、擬似固形体２０及び可撓性当て部材１４を一緒にして咽喉部Bまで挿入する。可撓性カテーテル１１を所定位置まで挿入すると、可撓性カテーテル１１の外周に付与したマーク１３が鼻孔Aに接近した位置になるので、この位置まで来ると可撓性カテーテル１１の挿入が完了したとして、挿入を停止する。この状態を図１２に示す。
【００５４】
図１２に示す状態から、可撓性当て部材１４を長さ方向に動かないように持って、可撓性カテーテル１１を軽く持って引き抜く。このとき、可撓性カテーテル１１の後端部１１ｂが可撓性当て部材１４の外周に設けられた印部１４ｂに近接する位置を目安として引き抜く。この引き抜きによって、可撓性当て部材１４の先端部１４aが可撓性カテーテル１１の先端部１１aよりも飛び出た位置になり、擬似固形体２０が可撓性カテーテル１１から外れて自由になり、可撓性カテーテル１１内から完全に露出する。この操作によって、可撓性カテーテル１１内の擬似固形体２０が可撓性カテーテル１１内から飛び出て、咽喉部Bの空間G内に分散する。実施形態１では、擬似固形体２０が複数個になっているので、咽喉部Ｂ内の空間Gに効果的に分散すると共に個々の擬似固形体２０が素早く体液を吸収して膨張することができ、体液が咽喉部Bから体外に露出することを防止できる。その後、可撓性カテーテル１１及び可撓性当て部材１４を鼻孔Aから引き抜く。
【００５５】
なお、可撓性当て部材１４に印部１４ｂを設けずに、図１２に示す状態から可撓性カテーテル１１を鼻孔Aから外れるまで一気に引き抜いて、その後、可撓性当て部材１４を引き抜くようにしても良い。
【００５６】
上記使用例では、上述したように、擬似固形体２０を可撓性カテーテル１１内に装填した状態で直接可撓性カテーテル１１を咽喉部B付近まで挿入するので、擬似固形体２０を咽喉部B内に確実に送り込むことができ、擬似固形体２０が咽喉部Bまで到達せずに途中で膨張することを防止できる。それと共に、可撓性カテーテル１１を引き抜く際に、擬似固形体２０の後端部が可撓性当て部材１４に当接して、それ以上は戻されないので、確実に可撓性カテーテル１１内の擬似固形体２０を咽喉部B内の空間Gに露出させることができる。また、圧縮エアポンプやシリンジ等の空気を使って押し込むのではなく、操作者が押し込み感覚を直接手に感じながら直接咽喉部Bまで擬似固形体２０を運ぶので、操作性に優れる。また、挿入時及び引き抜き時の音が比較的静かであり、操作者は周囲の人たちを気にせずに安心して操作できる。
【００５７】
又、遺体用体液漏出防止装置１０の別の使用例を、図１３に基づいて説明する。この使用例は、実施形態１の可撓性カテーテル１１及び可撓性当て部材１４の変形例であり、可撓性カテーテル１１１及び可撓性当て部材１１４としたものである。可撓性当て部材１１４の本体は、可撓性カテーテル１１１の内径に対して、１／３程度の径からなる細い棒部材であって、擬似固形体２０の後端部２０ｂに当接する先端部１１４ａを擬似固形体２０の大きさに等しい大きさとしたものである。可撓性カテーテル１１１の外周には、マークとしてストッパ１１３が突出して設けられ、可撓性カテーテル１１１を挿入した際に目視しなくても、咽喉部Bの所定位置まで達したことが判るようになっている。
【００５８】
使用時には、可撓性カテーテル１１１の先端近傍に擬似固形体２０を複数個装填し、可撓性当て部材１１４の先端部１１４aが擬似固形体２０の後端部２０aに接近するまで、可撓性当て部材１１４を可撓性カテーテル１１１内に挿入して、可撓性カテーテル１１１、擬似固形体２０及び可撓性当て部材１１４を一緒にして用意する。この状態のままで、可撓性カテーテル１１１を鼻孔Aから咽喉部Bまで挿入する。可撓性カテーテル１１１を所定位置まで挿入すると、ストッパ１１３が鼻孔Aに当接するので、この位置まで来ると可撓性カテーテル１１１の挿入が完了したとして、挿入を停止する。このときに、可撓性カテーテル１１１の先端部１１１ａが咽喉部Bの大きな空間Gに少し入った位置になっている。
【００５９】
この状態から、可撓性カテーテル１１１を軽く持って動かないようにして、可撓性当て部材１１４を奥に押し込む。この押し込みによって、擬似固形体２０が可撓性カテーテル１１１の先端部１１１aから飛び出て、咽喉部Ｂ内の空間G内に分散していく。押し込み操作は、可撓性当て部材１１４の外周に設けられた突出部１１４ｂが、可撓性カテーテル１１１の後端部１１１ｂに当接するまで押し込む。このことによって、可撓性当て部材１１４の先端部１１４aが可撓性カテーテル１１１の先端部１１１aよりも出て、可撓性カテーテル１１１内の擬似固形体２０が完全に飛び出ることができる。この状態を図１３に示す。
【００６０】
この図１３の使用例では、擬似固形体２０を装填したままで可撓性カテーテル１１１を鼻孔Aから直接人手で挿入し、更に可撓性当て部材１１４を直接人手で押し込むので、操作者が押し込み感覚を直接感じながら操作でき、操作性に優れ、確実に咽喉部Ｂに持ち込むことができる。また、挿入時の音が比較的静かであり、操作者は周囲の人たちを気にせずに安心して操作できる。
【００６１】
なお、図１２の使用例で使用した可撓性カテーテル１１を咽喉部に少し入って位置まで挿入し、この状態で可撓性当て部材１４を押し込み擬似固形体を咽喉部の空間に落とし込むようにしても良い。また、図１３の使用例で使用した可撓性カテーテル１１１を咽喉部の奥まで挿入し、この状態で可撓性カテーテル１１１を引き抜き、擬似固形体を咽喉部の空間に落とし込むようにしても良い。
【００６２】
また、図１２の使用例でマーク１３に代えてストッパ１１３とする、印部１４ｂに代えてストッパ１１４ｂにする、或は、図１３の使用例でストッパ１１３に代えてマーク１３とする、ストッパ１１４ｂに代えて印部１４ｂにするようにしても良い。また、一方のみ変更することも可能である。
【００６３】
以下に擬似固形体の他の実施形態を説明する。
【００６４】
（実施形態２）
図３は擬似固形体の別例を示す実施形態２に関わり、実施形態１の図２と同様な図を示す。実施形態２では、実施形態１と異なる点のみ説明し、共通点の説明は省略する。実施形態１の擬似固形体２０は、高吸水性ポリマー粉体２１を圧縮して円柱状に形成した錠剤タイプであったが、実施形態２の擬似固形体では、断面が楕円形状のカプセル３０の中に高吸水性ポリマー２１を充填したものである。カプセル３０は水溶性のペーパーや合成樹脂材からなり、体液を吸収することによって、溶けるようになっている。また、カプセル３０は、この実施形態２に示すような袋形状に限られるものではなく、メッシュ形状であっても良く、多数の孔を開口したものであっても良く、この場合には水溶性でなくても良い。カプセル３０は伸縮性のあるメッシュでも良い。カプセル３０の材質は、合成樹脂、ラバー、紙材等が考えられる。カプセルは、相対的に押し込む際に破損しない強度を備えることを必要とし、鼻孔から咽喉部に挿入する際の曲がりや変形に追従できる弾力性を備えることが好適である。なお、この実施形態２でも、水分を吸収して泡立つような発泡剤を混入しても良い。
【００６５】
（実施形態３）
図４は実施形態３に関わり、実施形態１の図２と同様な図を示す。実施形態３では、実施形態１と異なる点のみ説明し、共通点の説明は省略する。実施形態３の擬似固形体では、多数の繊維を束ねて円柱状に形成した繊維体４０の隙間に高吸水性ポリマー２１を充填したものである。
【００６６】
この実施形態３では、繊維体４０で形状を維持できるので、繊維体４０をスムーズに可撓性カテーテル１１から露出できると共に、繊維間に存在する高吸水性ポリマー２１が体液を吸収して膨張するので、体液漏出を効果的に防止できる。
【００６７】
なお、繊維体４０としては、水膨潤性繊維を使用することもできる。水膨潤性繊維としては、アクリル繊維で形成された芯材である内層及び該内層を囲撓するように形成され、外層が内層よりも高い吸水性と高い膨潤性とを有する水膨潤性繊維等が使用できる。    
【００６８】
（実施形態４）
実施形態４について、図５及び図６に基づいて説明する。この実施形態４は、実施形態２のカプセル３０の変形例である。実施形態４のカプセル３００は、前側に４つに分割去れた片部３０１を備える。実施形態４のカプセル３００の各片部３０１は、図５の２点鎖線で示すように自由状態ではラッパ状に拡開するように成形されており、押さえると図５の実線で示すようにカプセル３００を閉じた状態に合わさるようになっている。閉じた状態では、図６に示すように、各片部３０１の隣接部分に形成された段部３０２が合わさって、位置ズレを防止している。
【００６９】
可撓性カテーテル１１に装填するときは、カプセル内３００内に高吸水性ポリマー２１を充填して、４つの片部３０１を閉じた状態として、可撓性カテーテル内に挿入する。そして、可撓性当て部材１４を可撓性カテーテル内１１内に挿入して可撓性カテーテルに当接した状態として、図８又は図９のように咽喉部Ｂまで挿入する。そして、可撓性カテーテル１１を引き抜くか可撓性当て部材１４を押し込むことによって、カプセル３００の４つの片部３０１を閉じた状態に規制するものが無くなり、カプセル３００の片部３０１がラッパ状に開き、咽喉部Bに持ち込まれることになる。これによって、カプセル３００内部の高吸水性ポリマー２１が咽喉部Ｂ内に分散して出て行く。
【００７０】
なお、片部３０１は自由状態でラッパ状に開く状態で形成され、各片部３０１を押し合わせて可撓性カテーテル１１内に装填しているが、開く力が不足する場合には、バネ等の補助開放部材をカプセル３００内に入れるようにしても良い。
【００７１】
（実施形態５）
実施形態５について、図７に基づいて説明する。この実施形態５は、実施形態２に対して、可撓性カテーテル１１１の先端部１１１ａ即ちカプセル３０の前側に、多数の高吸水性ポリマー２１の粉体を擬似固形体３０に入れないで、粉体のままで充填しておき、先側をフイルム１５でシールしたものである。この実施形態５では、カプセル３０内の高吸水性ポリマー２１がカプセル３０から出て体液を吸収する前に、粉体のままの高吸水性ポリマー２１が咽喉部Ｂ内に素早く分散するので、咽喉部Ｂに存在する体液を即座に吸収し、体液が体外に溢れ出ることをより確実に防止できる。特に、体液が多い遺体や、体内圧力が高く勢い良く体液が吹き出る可能性の高い遺体に対しては、この実施形態５のように、粉体のままの高吸水性ポリマー２１の適切量を可撓性カテーテル１１１の先端部１１１ａに入れておくことが有効である。フイルム１５のシールのみで不足であれば、実施形態１のようにキャップ１６をも設けても良い。高吸水性ポリマー２１を粉体のままで擬似固形体の前側に充填しておく構成は、実施形態２のカプセル３０に限られるものではなく、他の実施形態の擬似固形体に対しても適用可能である。
【００７２】
（実施形態６）
実施形態６について、図８及び図９に基づいて説明する。実施形態６の擬似固形体５０は、実施形態１の可撓性カテーテル１１と同様な材質からなり、その外径が可撓性カテーテル１１の内径と略同じである可撓性合成樹脂のリング部材５１を備え、リング部材５１の内側に高吸水性ポリマー２１を充填し、リング部材５１の前面及び後面をフイルム５２、５２等で覆ったものである。
【００７３】
可撓性当て部材５４はリング部材５１とほぼ同じ外径か僅かに小さい外径の中空チューブからなり、可撓性当て部材５４の先端部５４aが、リング部材５１の後端部に当接するようになっている。
【００７４】
リング部材５１が、可撓性カテーテル１１の曲がり等の変形に追従して曲がることが可能であるので、リング部材５１内の高吸水性ポリマー２１は、リング部材５１の変形を許容する程度の密度に充填しておき、フイルム５２もリング部材５１の変形を許容するような伸縮性を有する合成樹脂、合成繊維、天然繊維等であり、リング部材５１に接合しておく。
【００７５】
この実施形態６では、体液漏出防止装置１０を鼻孔から咽喉部に挿入する時に、鼻孔の曲り構造などのために可撓性カテーテル１１が折れ曲って挿入され、上記リング部材５１も追従して曲がることができるので、咽喉部Bまで滑らかに挿入できる。また、相対的に可撓性当て部材５４を移動させる際には、可撓性当て部材５４の先端部５４aがリング部材５１の後端部Bに当接しているので、確実に擬似固形体５０を咽喉部に押し込むことができる。
【００７６】
実施形態７について、図１０及び図１１に基づいて説明する。実施形態７の擬似固形体６０は、球状のカプセル６１の中に高吸水性ポリマー２１を充填したものである。このカプセル６１の直径が可撓性カテーテル１１１の内径に対して小さくなっており、可撓性カテーテル１１１を鼻孔Aから咽喉部Bに挿入する際の曲がり等の変形に追従し易くなっている。カプセル６１の直径は、可撓性カテーテル１１１の内径に対して３／４〜１／４程度とすることが好ましい。カプセル６１は水溶性或いは透水性のペーパー、合成樹脂等からなるか、メッシュ状のペーパー、合成樹脂等が使用可能である。カプセル６１の形状は、球体に限らず断面楕円形状、多角体形状でも構わない。
【００７７】
この実施形態７の擬似固形体６０の使用例としては、図１２の使用例でも図１３の使用例でも適用可能である。なお、図１２に示すように、可撓性カテーテル１１１を咽喉部Bの奥まで挿入しておき、可撓性カテーテル１１１を引き抜くようにすると、擬似固形体６０を後から押し込むよりも可撓性カテーテル１１１から飛び出ることが容易であり、好都合である。
【００７８】
実施形態８について、図１４に基づいて説明する。この実施形態８では、図１３で使用した可撓性カテーテル１１１及び可撓性当て部材１１４の形状を変更したものである。即ち、実施形態８の可撓性カテーテル２１１は、中間部外周に突出してストッパ２１３を備え、このストッパ２１３に連続して、可撓性カテーテル２１１の後端部２１１ｂ付近までの領域（操作者が手に持つ領域）の肉厚を厚くして肉厚部２２４を形成した。可撓性当て部材２１４は、中実の細い棒部材（可撓性カテーテル１１１の内径の１／３の外径）とし、先端部に可撓性カテーテル２１１の内径に略等しい外径の当て部を設けたものである。
【００７９】
可撓性カテーテル２１１に肉厚部２２４を設けて可撓性カテーテル２１１を握る部分の剛性を高くすることによって、可撓性カテーテル２１１に対して可撓性当て部材２１４を相対的に移動させた場合に、可撓性カテーテル２１１を強く持ち過ぎて可撓性当て部材２１４をスムーズに移動できなくなることを未然に防止するようにしている。また、操作者がこの肉厚部２２４を安心して持てるので、操作者の不安をなくすことができる。
【００８０】
なお、肉厚部２２４は全周を肉厚にしているが、全周でなく、部分的にリブのように設けても良い。また、肉厚部２２４に代えて、高剛性樹脂製の円筒部材や金属製円筒部材を外嵌めしても良い。
【００８１】
なお、図１２のマーク１３をストッパ１１３、印部１４ｂをストッパ１１４ｂに変更しても良く、図１３のストッパ１１３をマーク１３、ストッパ１１４ｂを印部１４ｂに変更しても良い。また、片方のみ変更しても良い。また、図１２，１３においても、可撓性カテーテル１１の握る部分に図１４に示すような高剛性部分を設けても良い。
【００８２】
また、図１２及び図１３の使用状態は、実施形態１〜６のどの実施形態のものでも使用可能なものであり、どちらか都合のよいほうを任意に選定すればよい。
【００８３】
該体液漏出防止材１０には、二酸化安定塩素、消臭剤、殺菌剤、防カビ剤、防腐剤、香料等を添加しても良い。
【００８４】
殺菌剤としては、グルコン酸クロルヘキシジン、イソプロピルメチルフェノール、チモール、０−フェニルフェノール、塩化ベンザルコニウム、塩化ベンゼトニウム、塩化セチルピリジニウム、ヒノキチオール、塩化リゾチーム、ε―ポリリシン、グレープフルーツ種子抽出物、トリクロサン、カラシ抽出物「ワサオーロ」（商品名）等が挙げられる。
防カビ防腐剤としては、安息香酸ナトリウム、パラオキシ安息香酸ナトリウム、パラオキシ安息香酸ブチル、パラオキシ安息香酸プロピル、パラオキシ安息香酸イソブチル、プロピオン酸ナトリウム、チアベンダゾール、イソチアゾロン等が挙げられる。
消臭剤としては、モウソウチク抽出物、緑茶抽出エキス、長鎖ベタイン化合物、柿抽出液の総称型タンニンを主成分とした消臭剤、数種の植物エキスを混合した植物系特殊消臭剤等が挙げられる。
【００８５】
香料としては、フルーティー調、フローラル調、シトラル調、ウッディー調、フレッシュノート調、ミックスフレーバー調、グリーン調、ミント調等が挙げられる。
殺菌剤、防カビ防腐剤、消臭剤及び香料の含有量は、各効果を維持し、安全性及び良好な経済性を得る観点から、体液漏出防止剤のゼリー中に殺菌剤、防カビ防腐剤は０．００１〜１０重量％が好ましく、特に０．００３〜５重量％が好ましく、消臭剤は０．０５〜１５重量％、特に０．１〜５重量％が好ましく、香料は０．００１〜７重量％、特に０．０１〜３重量％が好ましい。また、その他、色素を添加含有することも可能であり、配合、選択などは特に限定されるものではなく任意に設定でき、なんら制限されない。
【００８６】
上記実施形態では、可撓性カテーテル１１、１１１、２１１を鼻孔Ａから咽喉部Ｂに挿入するもので説明したが、鼻孔Aからでなくて、口Cの口先から口内を通して咽喉部Ｂに可撓性カテーテルを挿入するようにするものにも、本発明は適用可能である。
【００８７】
擬似固形体の数量は、上記実施形態で示した数に限られるものではなく、標準的な遺体の体液に対応した任意の数にすればよい。また、擬似固形体の数量は、初期には上記標準的な数量にしておき、遺体によっては体液が多量にある可能性が高いことが解かる場合には、余分に擬似固形体を付け足してから、可撓性カテーテルを咽喉部に挿入するようにすることも可能である。
【００８８】
擬似固形体の形状は、円柱状や断面楕円形のものに限られるものではなく、球体でも良い。また、擬似固形体の大きさは、形状維持性が保てれば、小さい方が好ましいが、押し込み難くなるので、適切な大きさとする。
【００８９】
可撓性カテーテル１１、１１１、２１１の挿入抵抗を軽減するために、挿入前に可撓性カテーテル１１、１１１、２１１の外周にグリセリン等の潤滑剤を塗布しても良い。
【産業上の利用可能性】
【００９０】
以上説明したように、本発明に係る遺体用咽喉部封止装置は、体液が咽喉部から口内や体外に漏れ出るのを防止するのに適している。
【図面の簡単な説明】
【００９１】
【図１】本発明の実施形態１に係わる遺体用体液漏出防止装置の断面図を示す。
【図２】実施形態１の擬似固形体を示す。
【図３】実施形態２の擬似固形体を示す。
【図４】実施形態３の擬似固形体を示す。
【図５】実施形態４の擬似固形体を示す。
【図６】図５のＡ−Ａ断面図を示す。
【図７】実施形態５に関わる遺体用体液漏出防止装置の部分断面図を示す。
【図８】実施形態６に関わる遺体用体液漏出防止装置の部分断面図を示す。
【図９】実施形態６の擬似固形体を示す。
【図１０】実施形態７に関わる遺体用体液漏出防止装置の部分断面図を示す。
【図１１】実施形態７の擬似固形体を示す。
【図１２】遺体用体液漏出防止装置の使用例を説明する図である。
【図１３】遺体用体液漏出防止装置の別の使用例を説明する図である。
【図１４】実施形態８に関わる可撓性カテーテル及び可撓性当て部材の部分断面図を示す。
【符号の説明】
【００９２】
１０    体液漏出防止装置
２０    擬似固形体
２１    体液漏出防止剤（高吸水性ポリマー）
１１    可撓性カテーテル
１２    スリット
１３    マーク
１４    可撓性当て部材
１５    フイルム
１６    キャップ
２０    擬似固形体
３０    擬似固形体
【図１】
0004822873.tif 000002
【図２】
0004822873.tif 000003
【図３】
0004822873.tif 000004
【図４】
0004822873.tif 000005
【図５】
0004822873.tif 000006
【図６】
0004822873.tif 000007
【図７】
0004822873.tif 000008
【図８】
0004822873.tif 000009
【図９】
0004822873.tif 000010
【図１０】
0004822873.tif 000011
【図１１】
0004822873.tif 000012
【図１２】
0004822873.tif 000013
【図１３】
0004822873.tif 000014
【図１４】
0004822873.tif 000015